(57)【特許請求の範囲】
【請求項１】
縦辺と横辺の比が略１対１であり、かつ明色の透光部と暗色の図柄部とからなる図柄を備えた四角形の表示面の裏側に、複数本の略直管状の光源を有する内照式誘導灯において、前記複数本の光源の前記表示面の裏側における配置が、縦姿勢で横方向に並ぶ横配置の２灯と、横姿勢で前記２灯を間に挟むように縦方向に並ぶ縦配置の２灯とからなる略鼓状配置であり、前記横配置の２灯は、前記表示面を横方向に略３等分する位置に配置されている内照式誘導灯。
【請求項２】
前記表示面の一辺の長さは略４００ｍｍであり、前記光源は表示面の一辺の長さが略２００ｍｍの１灯用誘導灯に用いられるものを４本用いる請求項１記載の内照式誘導灯。
【請求項３】
前記光源の４灯の配置は略左右対称である請求項１または請求項２記載の内照式誘導灯。
【請求項４】
前記表示面の左右側部に対応する位置に、前記光源を点灯制御する点灯装置をそれぞれ設け、前記表示面の下端部に相当する位置に商用電源の停電時に電力を供給するための非常点灯用電池を設けた請求項１、請求項２または請求項３記載の内照式誘導灯。
【請求項５】
点灯装置が２灯用点灯装置であり、前記光源の縦配置と横配置の各１灯をそれぞれ配線接続し、各点灯装置に接続される前記光源のそれぞれ両端部の電極のうち互いに近接する部位の電極を前記点灯装置の電圧側として、前記電圧側の前記電極とこれに近接する前記点灯装置を配線接続する請求項１、請求項２、請求項３または請求項４記載の内照式誘導灯。
【発明の詳細な説明】
【０００１】
【発明の属する技術分野】
この発明は、内照式誘導灯に関するものである。
【０００２】
【従来の技術】
図７に示すように、表示面５０の裏側に冷陰極ランプを用いた光源５１を持つ内照式誘導灯であって、光源５１の全長が表示面５０の一辺例えば２００ｍｍ以上４００ｍｍ未満に対してほぼ同じ長さになっている。
【０００３】
光源５１は、表示面５０の中央近傍に位置し、消防法に定められた光学特性を満足する。
【０００４】
【発明が解決しようとする課題】
内照式誘導灯は、表示面５０の一辺が従来２００ｍｍの誘導灯の２倍以上になる場合でも、一辺が２００ｍｍの誘導灯と同等以上の光学性能を満足するようにランプを設定する必要がある。
【０００５】
しかし、光源５１の長さをより長くすると、取扱い時にランプが割れるおそれがあり、ランプメンテナンスを工事業者に依存するので、施工性を考慮すると現行の長さが限度である。
【０００６】
一方、誘導灯の表示面には複数の絵柄があり、印刷部（緑色部）では光出力をロスしてしまう。
【０００７】
したがって、この発明の目的は、一辺が４００ｍｍ以上の大きさの表示面を有する誘導灯でも、一辺が２００ｍｍ以上４００ｍｍ未満の表示面を有する誘導灯に使用する光源を用いて、一辺が２００ｍｍ以上４００ｍｍ未満の表示面を有する誘導灯と同等以上の光学特性を満足することができる内照式誘導灯を提供することである。
【０００８】
【課題を解決するための手段】
請求項１記載の内照式誘導灯は、縦辺と横辺の比が略１対１であり、かつ明色の透光部と暗色の図柄部とからなる図柄を備えた四角形の表示面の裏側に、複数本の略直管状の光源を有する内照式誘導灯において、前記複数本の光源の前記表示面の裏側における配置が、縦姿勢で横方向に並ぶ横配置の２灯と、横姿勢で前記２灯を間に挟むように縦方向に並ぶ縦配置の２灯とからなる略鼓状配置であり、前記横配置の２灯は、前記表示面を横方向に略３等分する位置に配置されているものである。
【０００９】
請求項１記載の誘導灯によれば、一辺が２００ｍｍ以上４００ｍｍ未満の表示面を有する誘導灯に使用する光源を複数用いることにより、２００ｍｍ以上４００ｍｍ未満の表示面を有する誘導灯と同等以上の光学特性を満足することができる誘導灯を、一辺が４００ｍｍ以上の大きさの表示面を有する誘導灯に適用することができる。またランプの最小の本数と最適配置を実現できる。
【００１２】
請求項２記載の内照式誘導灯は、請求項１において、前記表示面の一辺の長さは略４００ｍｍであり、前記光源は表示面の一辺の長さが略２００ｍｍの１灯用誘導灯に用いられるものを４本用いるものである。
【００１３】
請求項２記載の内照式誘導灯によれば、請求項１と同様な効果がある。
【００１４】
請求項３記載の内照式誘導灯は、請求項１または請求項２において、前記光源の４灯の配置が略左右対称であるものである。
【００１５】
請求項３記載の内照式誘導灯によれば、請求項１または請求項２と同様な効果がある。
【００１８】
請求項４記載の内照式誘導灯は、請求項１、請求項２または請求項３において、前記表示面の左右側部に対応する位置に、前記光源を点灯制御する点灯装置をそれぞれ設け、前記表示面の下端部に相当する位置に商用電源の停電時に電力を供給するための非常点灯用電池を設けたものである。
【００１９】
請求項４記載の内照式誘導灯によれば、請求項１、請求項２または請求項３と同様な効果がある。
【００２０】
請求項５記載の内照式誘導灯は、請求項１、請求項２、請求項３または請求項４において、点灯装置が２灯用点灯装置であり、前記光源の縦配置と横配置の各１灯をそれぞれ配線接続し、各点灯装置に接続される前記光源のそれぞれ両端部の電極のうち互いに近接する部位の電極を前記点灯装置の電圧側として、前記電圧側の前記電極とこれに近接する前記点灯装置を配線接続するものである。
【００２１】
請求項５記載の内照式誘導灯によれば、請求項１、請求項２、請求項３または請求項４と同様な効果のほか、ランプ線の電圧側と接地側が分離できるので、電圧線と接地線の接触に起因する漏れ電流によるランプのちらつきや不点を防止することができる。
【００２２】
【発明の実施の形態】
この発明の第１の実施の形態を図１および図２により説明する。すなわち、この内照式誘導灯は、器具本体１と、点灯装置２、３と、光源４と、非常点灯用電池５と、透光性の表示板の表面に形成した表示面６とを有する。
【００２３】
器具本体１は、横辺７と縦辺８の寸法比Ｌ、Ｈが略１対１である。実施の形態では一辺が４００ｍｍの正方形に形成し、表面に表示面６を設け、反射板は設けていない。
【００２４】
四角形の表示面６は、図２に示すように、明色の透光部１０と暗色の図柄部１１とからなる図柄を備える。表示面６の一辺の長さは４００ｍｍ以上であるが、最大の大きさは表示面として可能であり明るさも得られること等を考慮して決定される。実施の形態では表示面６の正方形の一辺の長さを略４００ｍｍとし、暗色は例えば緑色としている。
【００２５】
光源４は、略直管状であり表示面６の裏側に配置され、器具本体１に取付けられている。光源４として、表示面６の横辺と縦辺の比が略１対１であり、かつ一辺の長さが２００ｍｍ以上４００ｍｍ未満の誘導灯に用いられる光源を複数用いている。さらに詳しくは光源４が表示面６の一辺の長さが略２００ｍｍの誘導灯に一灯用いられる例えば長さ２２０ｍｍの冷陰極ランプを適用している。
【００２６】
この略直管状の光源４の器具本体１の内部すなわち表示面６の裏側における配置は略鼓状をなし、表示面６の中心寄りに２灯のランプ４ｂ、４ｃを互いに間隔をやや開けて略縦配置するとともに、これら２灯のランプ４ｂ、４ｃを間にはさんで上下にそれぞれ１灯のランプ４ａ、４ｄを横配置している。すなわち、冷陰極ランプを水平方向に上下２本、その間に直角方向すなわち縦方向に左右２本と鼓状に配置する。これらの光源４の４灯の配置は略左右対称である。さらに光源４の縦配置したランプ４ｂ、４ｃは表示面６を略３等分する位置にそれぞれ配置するとともに、横配置したランプ４ａ、４ｄは縦配置したランプ４ａ、４ｄに近接して配置している。実施の形態では一対のランプソケットを保持するソケット台９を互いにランプ４ａ〜４ｄの直交部分の一対の電極について共用し、全部で４個のソケット台９を器具本体１に取付けている。水平方向の上下２本のランプ４ａ、４ｄは外側の緑色の図柄部１１よりも内側の白色の透光部１０に多くかかるように配置し、図２に示すように、その上端からの距離Ｌ1 は１００ｍｍ＞Ｌ1 ≧８０ｍｍ、表示面６の下端からの距離Ｌ2 は８０ｍｍ＞Ｌ2 ≧６０ｍｍとする。さらにその内側の緑色の図柄部１１ａにはランプ４ａ、４ｄが半分以上かからないように配置する。また直角方向の左右２本のランプ４ｂ，４ｃは同じく外側の緑色の図柄部１１よりも内側の白色の透光部１０にかかるように、さらにその内側の緑色の図柄部１１ａにはランプが半分以上かからないように配置し、そのランプ４ｂ，４ｃ間距離Ｐを１４０ｍｍ≧Ｐ≧６０ｍｍとしている。
【００２７】
点灯装置２、３は、光源４を点灯制御するもので、表示面６の左右側部に対応する位置の器具本体１の側部にそれぞれ設けている。これらの点灯装置２、３は２灯用点灯装置であり、光源４の縦配置と横配置の各１灯を配線し、各点灯装置２、３に接続される。
【００２８】
非常灯用電池５は、商用電源の停電時に電力を供給するためのものであり、表示面６の下端部に相当する器具本体１の下端部に設けている。
【００２９】
１２は電源端子台、１３は各配線である。
【００３０】
この実施の形態によれば、一辺が２００ｍｍ以上４００ｍｍ未満の表示面を有する誘導灯に使用する光源４を複数用いることにより、２００ｍｍ以上４００ｍｍ未満の表示面を有する誘導灯と同等以上の光学特性を満足することができる誘導灯を、一辺が４００ｍｍ以上の大きさの表示面６を有する誘導灯に適用することができる。
【００３１】
光源４の略鼓形の配置により、誘導灯と同等以上の光学性能を満足する最小の本数と最適配置とを設定することができ、この配置によりランプの光出力を有効に使用でき、本数が最低数の４本となり、器具コストが抑えられる。ランプ本数が少ないため、ランプ交換時の手間が少なくてすみ、施工容易になる。
【００３２】
この発明の第２の実施の形態を図３に示す。すなわち、第１の実施の形態において、反射板がある場合でありかつ、光源４のそれぞれ両端部の電極のうち互いに近接する部位の電極４ａ1 、４ｂ1 、４ｃ1 、４ｄ1 を点灯装置２、３の電圧側として電圧２、３側の電極４ａ1 、４ｂ1 、４ｃ1 、４ｄ1 に近接する点灯装置２、３と配線接続している。
【００３３】
このため、図３（ｂ）に示すようにランプ線の電圧線（高圧側）１３ａが短く接地線（低圧側）１３ｂが長くなり、両者を分離できるので、高圧線１３ａと低圧線１３ｂの接触による漏れ電流でのランプのちらつきや不点を防止できる。
【００３４】
その他は第１の実施の形態と同様である。
【００３５】
図４から図６は、表示面６の図柄の各種態様と、第１の実施の形態による光源４の配置を示す。第１の実施の形態の表示面６を光源４に対して、絵柄の中で最も緑色等の図柄部の面積が多いため、光が出にくくロスが多い絵柄を基準にしているので、図４から図６の明るさが悪くなることはない。
【００３６】
【発明の効果】
請求項１記載の誘導灯によれば、一辺が２００ｍｍ以上４００ｍｍ未満の表示面を有する誘導灯に使用する光源を複数用いることにより、２００ｍｍ以上４００ｍｍ未満の表示面を有する誘導灯と同等以上の光学特性を満足することができる誘導灯を、一辺が４００ｍｍ以上の大きさの表示面を有する誘導灯に適用することができる。
【００３７】
請求項２記載の内照式誘導灯によれば、請求項１と同様な効果のほか、ランプの最小の本数と最適配置を実現できる。
【００３８】
請求項３記載の内照式誘導灯によれば、請求項１および請求項２と同様な効果がある。
【００３９】
請求項４記載の内照式誘導灯によれば、請求項３と同様な効果がある。
【００４０】
請求項５記載の内照式誘導灯によれば、請求項４と同様な効果がある。
【００４１】
請求項６記載の内照式誘導灯によれば、請求項１、請求項２、請求項３、請求項４または請求項５と同様な効果がある。
【００４２】
請求項７記載の内照式誘導灯によれば、請求項３、請求項４、請求項５または請求項６と同様な効果のほか、ランプ線の電圧側と接地側が分離できるので、電圧線と接地線の接触による漏れ電流によるランプのちらつきや不点を防止することができる。
【図面の簡単な説明】
【図１】この発明の第１の実施の形態の器具本体の正面図である。
【図２】表示面の正面図である。
【図３】第２の実施の形態を示し、（ａ）は器具本体の正面図、（ｂ）は各灯と点灯装置とを結ぶ配線を示す説明図である。
【図４】いずれも図柄の異なる表示面の正面図である。
【図５】いずれも図柄がさらに異なる表示面の正面図である。
【図６】いずれも図柄がさらに異なる表示面の正面図である。
【図７】従来例の表示面の半分を除去した状態の斜視図である。
【符号の説明】
１    器具本体
２    点灯装置
３    点灯装置
４    光源
４ａ〜４ｂ    ランプ
５    非常灯用電池
１３ａ    電圧線
１３ｂ    接地線
４ａ1     電圧側電極
４ｂ1     電圧側電極
４ｃ1     電圧側電極
４ｄ1     電圧側電極
【図１】
0004432162.tif 000002
【図２】
0004432162.tif 000003
【図３】
0004432162.tif 000004
【図４】
0004432162.tif 000005
【図５】
0004432162.tif 000006
【図６】
0004432162.tif 000007
【図７】
0004432162.tif 000008